(57)【要約】【課題】吸収体の薄型化を図るとともに、排泄液を漏れにくくすること。【解決手段】上記課題を解決する吸収性物品は、前後方向の前側に設けた前方吸収要素５０Ｆと、前後方向の中間に設けた中間吸収要素５０Ｍと、前後方向の後側に設けた後方吸収要素５０Ｂとを有し、前記前方吸収要素５０Ｆおよび前記後方吸収要素５０Ｂは、表側に設けられた第１不織布層５１と、裏側に設けられた第２不織布層５２と、これら第１不織布層と第２不織布層との間に保持された高吸収性ポリマー粒子５３とを有する積層体であり、前記中間吸収要素５０Ｂは、パルプ繊維及び高吸収性ポリマー粒子５３の集積体を包装シート５８で包んだものである。【選択図】図１
2020049178.tif 000002
【特許請求の範囲】
【請求項１】
複数の吸収要素が前後方向に直列に配置された吸収性物品であって、
前記複数の吸収要素は、
前後方向の前側に設けた前方吸収要素と、
前後方向の中間に設けた中間吸収要素と、
前後方向の後側に設けた後方吸収要素とを有し、
前記中間吸収要素は、パルプ繊維及び高吸収性ポリマー粒子の集積体を包装シートで包んだものであり、
前記前方吸収要素および前記後方吸収要素は、表側に設けられた第１不織布層と、裏側に設けられた第２不織布層と、これら第１不織布層と第２不織布層との間に保持された高吸収性ポリマー粒子とを有する積層体であり、
前記前方吸収要素の後端部と前記中間吸収要素の前端部が隣接し、または重なり合っており、
前記中間吸収要素の後端部と前記後方吸収要素の前端部が隣接し、または重なり合っている、
ことを特徴とする吸収性物品。
【請求項２】
前記第１不織布層の不織布及び前記第２不織布層の不織布の少なくとも一方は、スパンボンド不織布またはＳＭＳ不織布である請求項１記載の吸収性物品。
【請求項３】
前記前方吸収要素および前記後方吸収要素に含まれる前記高吸収性ポリマー粒子は、前記第１不織布層及び前記第２不織布層の両方に固定され、
前記第１不織布層に固定された前記高吸収性ポリマー粒子と前記第２不織布層に固定された前記高吸収性ポリマー粒子が、異なる種類のものである、
請求項１または２に記載の吸収性物品。
【請求項４】
前記第１不織布層と前記第２不織布層の間に中間不織布層が設けられ、
前記高吸収性ポリマー粒子が、前記第１不織布層と前記中間不織布層の間に保持されるとともに、前記中間不織布層と前記第２不織布層の間にも保持され、
前記第１不織布層と前記中間不織布層の間に保持された前記高吸収性ポリマー粒子と、前記中間不織布層と前記第２不織布層の間に保持された前記高吸収性ポリマー粒子が、異なる種類のものである、
請求項１または２に記載の吸収性物品。
【請求項５】
前記第１不織布層と前記第２不織布層の間に中間不織布層が設けられ、
前記中間不織布層に前記高吸収性ポリマー粒子が固定されており、
前記中間不織布層の目付が２０〜５０ｇ／ｍ2であり、
前記中間不織布層の厚さが１〜１０ｍｍであり、
前記中間不織布層を構成する繊維の繊度が２．０〜６．０ｄｔｅｘである、
請求項１または２に記載の吸収性物品。
【請求項６】
前記前方吸収要素の後端部と前記中間吸収要素の前端部、および前記中間吸収要素の後端部と前記後方吸収要素の前端部の少なくとも一方が、厚さ方向に重なり合っており、
この重なり合った部分の前後方向の長さが、１０ｍｍ以下である請求項１〜５のいずれか１項に記載の吸収性物品。
【発明の詳細な説明】
【技術分野】
【０００１】
本発明は、複数の吸収要素が前後方向に直列に配置された吸収性物品に関するものである。
【背景技術】
【０００２】
使い捨ておむつや生理用ナプキン等の吸収性物品には、一般的に、パルプ繊維および高吸収性ポリマー粒子を集積した吸収体が用いられている。このような吸収体は厚みがあるため、装着感が悪くなる傾向がある。
【０００３】
そこで近年は、吸収体を薄くする技術の研究開発が活発に行われている。具体的には、吸収体のパルプ繊維の量を減らすことによって、吸収体を薄くする技術が研究開発され、その結果、高吸収性ポリマー粒子をシート状にするものが開発された。具体的には、下方に配置した不織布と上方に配置した不織布の間（２枚の不織布の間）に高吸収性ポリマー粒子を挟み込んで固定したものがある。このような製品は、一般的にＳＡＰ（Ｓｕｐｅｒ  Ａｂｓｏｒｂｅｎｔ  Ｐｏｌｙｍｅｒ）シートと呼ばれている。
【０００４】
吸収性物品にＳＡＰシートを用いたものとして、例えば下記特許文献１がある。この吸収性物品は、液透過性シート、第一吸収体、第二吸収体、および液不透過性シートを、この順序で備えたものであり、第一吸収体が吸収性ポリマー粒子を第１コアラップで挟んだものであり、第２吸収体がパルプ繊維と吸収性ポリマー粉末を第２コアラップで包んだものである。
【先行技術文献】
【特許文献】
【０００５】
【特許文献１】特開２０１８−５０８３５号公報
【発明の概要】
【発明が解決しようとする課題】
【０００６】
しかし、ＳＡＰシートを吸収性物品に用いる場合、吸収体の厚みが薄くなるため、装着感が良好になるものの、新たな別の問題が生じる。
【０００７】
例えば、一般的なＳＡＰシートにはパルプ繊維が含まれていないため、尿などの排泄液を吸収するスピードが遅い。そのため、ＳＡＰシートの表面に排泄液が滞留し、その排泄液が着用者の肌と接触して、不快感を覚えるという問題がある。
【０００８】
また、ＳＡＰシートにパルプ繊維が含まれていないため、ＳＡＰシートの内部に一時的に排泄液を保持する能力が低い。そのため、ＳＡＰシートの内部で、高吸収性ポリマー粒子に吸収されていない排泄液は、ＳＡＰシートの端部へ流れ、外部へ染み出すという問題もある。
【０００９】
また、前記特許文献１に記載された吸収性物品は、第１吸収体と第２吸収体を重ねた二層構造であるため、厚みがあって装着感が悪いという問題もある。
【００１０】
さらに、吸収性物品の吸収可能量は、吸収体のすべての領域で吸収されたときに最大となるが、現実には、複数回の排泄によって繰り返し吸収する場合であっても、吸収体全体にまんべんなく排泄液が拡散することはない。そのため、吸収体のすべてを有効に使い切ることはできない。つまり、吸収可能量を増やすためには、吸収体の素材とその含有量だけでなく、拡散性についても改善する必要がある。
【００１１】
そこで、本発明の主たる課題は、吸収体の薄型化を図ることにある。そして、従たる課題は、排泄液を漏れにくくすることにある。
【課題を解決するための手段】
【００１２】
上記課題を解決した本発明の代表的態様は以下のとおりである。
＜第１の態様＞
複数の吸収要素が前後方向に直列に配置された吸収性物品であって、
前記複数の吸収要素は、
前後方向の前側に設けた前方吸収要素と、
前後方向の中間に設けた中間吸収要素と、
前後方向の後側に設けた後方吸収要素とを有し、
前記中間吸収要素は、パルプ繊維及び高吸収性ポリマー粒子の集積体を包装シートで包んだものであり、
前記前方吸収要素および前記後方吸収要素は、表側に設けられた第１不織布層と、裏側に設けられた第２不織布層と、これら第１不織布層と第２不織布層との間に保持された高吸収性ポリマー粒子とを有する積層体であり、
前記前方吸収要素の後端部と前記中間吸収要素の前端部が隣接し、または重なり合っており、
前記中間吸収要素の後端部と前記後方吸収要素の前端部が隣接し、または重なり合っている、
ことを特徴とする吸収性物品。
【００１３】
（作用効果）
本態様では、吸収性物品の前側に前方吸収要素が設けられ、この前方吸収要素が、第１不織布層と第２不織布層の間に高吸収性ポリマー粒子を保持した積層体である。このような態様にすることで、吸収性物品の前後方向前側部分の厚さが薄くなり、吸収性物品の装着感の向上を図っている。その他、前方吸収要素をパルプ繊維及び高吸収性ポリマー粒子の集積体を包装シートで包んだものにした場合と比べて、前方吸収要素を前記積層体とすることにより、剛度を高くすることができる。前記積層体を製造する際に、第１不織布層と第２不織布層に対して接着剤を多量に塗布することが多いため、積層体の方が剛度が高くなることが多いからである。この場合における剛度とは、ＪＩＳ  Ｌ  １９１３：２０１０「４１．５°カンチレバー法」で計測したものをいう（以下同じ）。その結果、ウエスト周りに配置した弾性部材が幅方向へ収縮した際に、当該部位に皺ができにくくなり、着用者の肌と前方吸収要素の間に隙間が生じにくくなる結果、排泄液の腹漏れを抑止することができるという利点がある。
【００１４】
また、吸収性物品の前後方向中間に中間吸収要素が設けられ、この中間吸収要素にパルプ繊維が含まれている。中間吸収要素がパルプ繊維を含むことで、中間吸収要素の吸収スピードが速まり、排泄液を速やかに吸収する。そのため、中間吸収要素の肌側外方に排泄液が滞留し、滞留した排泄液が着用者の肌と接触して、着用者が不快感を感じることを防ぐことができる。その他、中間吸収要素の構造として、第１不織布層と第２不織布層との間に保持された高吸収性ポリマー粒子とを有する積層体ではなく、パルプ繊維及び高吸収性ポリマー粒子の集積体を用いることで、剛度が低いものになる。その結果、動きの多い股下部への追従性が高まり、吸収性物品のフィット性を高めることができるという利点がある。
【００１５】
また、吸収性物品の後側に後方吸収要素が設けられ、この後方吸収要素が、第１不織布層と第２不織布層の間に高吸収性ポリマー粒子を保持した積層体である。このような態様にすることで、吸収性物品の前後方向後側部分の厚さが薄くなり、吸収性物品の装着感の向上を図っている。一般的に、後方吸収要素を配置する場所は、体圧のかかりやすい場所であるため、排泄液の逆戻りが生じやすい。そこで、当該部位に、後方吸収要素５０Ｂとして、第１不織布層と第２不織布層との間に高吸収性ポリマー粒子を保持した積層体を配置することにより、逆戻りを抑止することができる。すなわち、当該後方吸収要素５０Ｂは、パルプ繊維を含まない（もしくはパルプ繊維を含んだとしても少量である。たとえば、０〜５ｇ/ｍ2程度である）ため、逆戻りを抑止する効果が高い。
【００１６】
以上のように、本態様によれば、吸収要素の薄型化を図ることができる。それとともに、排泄液を漏れにくくすることもできる。
【００１７】
＜第２の態様＞
前記第１不織布層の不織布及び前記第２不織布層の不織布の少なくとも一方は、スパンボンド不織布またはＳＭＳ不織布である前記第１の態様の吸収性物品。
【００１８】
（作用効果）
一般的に、スパンボンド不織布やＳＭＳ不織布は、嵩が少ない。そのため、第１不織布層の不織布及び第２不織布層の不織布の少なくとも一方に、スパンボンド不織布またはＳＭＳ不織布を用いることで、前方吸収要素の厚みが薄くなり、着用者の不快感の軽減がより顕著になる。前方吸収要素に代えて、後方吸収要素において、第１不織布層の不織布及び第２不織布層の不織布の少なくとも一方を、スパンボンド不織布またはＳＭＳ不織布にしてもよい。さらに、前方吸収要素と後方吸収要素の両方において、第１不織布層の不織布及び第２不織布層の不織布の少なくとも一方を、スパンボンド不織布またはＳＭＳ不織布にしてもよい。
【００１９】
＜第３の態様＞
前記前方吸収要素および前記後方吸収要素に含まれる前記高吸収性ポリマー粒子は、前記第１不織布層及び前記第２不織布層の両方に固定され、
前記第１不織布層に固定された前記高吸収性ポリマー粒子と前記第２不織布層に固定された前記高吸収性ポリマー粒子が、異なる種類のものである、
前記第１または２の態様の吸収性物品。
【００２０】
（作用効果）
第１不織布層及び前記第２不織布層には、異なる種類の高吸収性ポリマー粒子を配置することが好ましい。例えば、第１不織布層（上方の不織布層）には、吸収した排泄液を漏出しにくい高吸収性ポリマー粒子を用いることが好ましい。第２不織布層（下方の不織布層）は、第１不織布層のような限定をせずに、製造原価等から任意の高吸収性ポリマー粒子を用いると良い。
【００２１】
また、高吸収性ポリマー粒子が排泄液を漏出すると、排泄液が逆戻りして、着用者が不快感を覚えやすい。そこで、第１不織布層に含まれる高吸収性ポリマー粒子を上記のものにすることで、これらの問題を解決することができる。
【００２２】
具体的には、例えば、第１不織布層に含まれる高吸収性ポリマー粒子をパールタイプにして、第２不織布層に含まれる高吸収性ポリマー粒子を破砕タイプすることが好ましい。パールタイプの高吸収性ポリマー粒子は、破砕タイプのそれに比べて、吸収した排泄液を手放しにくく、逆戻りが発生しにくいという利点がある。
【００２３】
＜第４の態様＞
前記第１不織布層と前記第２不織布層の間に中間不織布層が設けられ、
前記高吸収性ポリマー粒子が、前記第１不織布層と前記中間不織布層の間に保持されるとともに、前記中間不織布層と前記第２不織布層の間にも保持され、
前記第１不織布層と前記中間不織布層の間に保持された前記高吸収性ポリマー粒子と、前記中間不織布層と前記第２不織布層の間に保持された前記高吸収性ポリマー粒子が、異なる種類のものである、
前記第１または２の態様の吸収性物品。
【００２４】
（作用効果）
中間不織布層を境界として、第１不織布層側と第２不織布層側に別々の種類の高吸収性ポリマーを配置することが好ましい。例えば、第１不織布層（上方の不織布層。以下同じ。）と中間不織布層の間には、排泄液の吸収スピードが遅く、吸収した排泄液を漏出しにくい高吸収性ポリマー粒子を用いることが好ましい。また、第２不織布層（下方の不織布層。以下同じ。）と中間不織布層の間には、第１不織布層と中間不織布層の間のような限定を設けずに、製造原価等から任意の高吸収性ポリマー粒子を用いると良い。
【００２５】
第１不織布層と中間不織布層の間に位置する高吸収性ポリマー粒子の吸収スピードが速いと、その高吸収性ポリマー粒子の膨張が早く、第２不織布層と中間不織布層の間に排泄液が到着しにくい。また、第１不織布層と中間不織布層の間に位置する高吸収性ポリマー粒子が排泄液を漏出すると、排泄液が逆戻りして、着用者が不快感を覚えやすい。そこで、第１不織布層と中間不織布層の間に位置する高吸収性ポリマー粒子を上記のものにすることで、これらの問題を解決することができる。
【００２６】
具体的には、例えば、第１不織布層と中間不織布層の間に位置する高吸収性ポリマー粒子を破砕タイプにして、第２不織布層と中間不織布層の間に位置する高吸収性ポリマー粒子をパールタイプにすることができる。破砕タイプの高吸収性ポリマー粒子は、パールタイプのそれに比べて、排泄液の吸収スピードが遅いという利点がある。他方、パールタイプの高吸収性ポリマー粒子は、破砕タイプのそれに比べて、吸収した排泄液を手放しにくく、逆戻りが発生しにくいという利点がある。
【００２７】
このような前方吸収要素および後方吸収要素の製造方法としては、例えば、中間不織布層の上に高吸収性ポリマー粒子を散布した後、その中間不織布層を反対にして、別の種類の高吸収性ポリマー粒子を散布し、その後、この中間不織布層を第１不織布層と第２不織布層で挟み込む方法を挙げることができる。高吸収性ポリマー粒子が第１不織布層と中間不織布層の間に保持されるとは、高吸収性ポリマー粒子が第１不織布層と中間不織布層の間に自由に移動可能な状態で置かれている形態や、高吸収性ポリマー粒子が中間不織布層のうちの第１不織布層寄りの位置に固定されている形態や、これら２つの形態を組み合わせた形態を含むものである。同様に、高吸収性ポリマー粒子が第２不織布層と中間不織布層の間に保持されるとは、高吸収性ポリマー粒子が第２不織布層と中間不織布層の間に自由に移動可能な状態で置かれている形態や、高吸収性ポリマー粒子が中間不織布層のうちの第２不織布層寄りの位置に固定されている形態や、これら２つの形態を組み合わせた形態を含むものである。
【００２８】
＜第５の態様＞
前記第１不織布層と前記第２不織布層の間に中間不織布層が設けられ、
前記中間不織布層に前記高吸収性ポリマー粒子が固定されており、
前記中間不織布層の目付が２０〜５０ｇ／ｍ2であり、
前記中間不織布層の厚さが１〜１０ｍｍであり、
前記中間不織布層を構成する繊維の繊度が２．０〜６．０ｄｔｅｘである、
前記第１または２の態様の吸収性物品。
【００２９】
（作用効果）
第１不織布層と第２不織布層の間に中間不織布層を設けることが好ましい。この中間不織布層の目付は、２０〜５０ｇ／ｍ2にすることが好ましく、３０〜４０ｇ／ｍ2にすることがより好ましい。このとき、中間不織布層の厚さは、１ｍｍ〜１０ｍｍにすることが好ましく、３ｍｍ〜５ｍｍにすることがより好ましい。さらに、中間不織布層を構成する繊維の繊度が２．０〜６．０ｄｔｅｘにすることが好ましく、３．０〜５．０ｄｔｅｘにすることがより好ましい。
【００３０】
中間不織布層の目付が２０ｇ／ｍ2より低く、中間不織布層の厚さが１０ｍｍよりも厚く、中間不織布層を構成する繊維の繊度が６．０ｄｔｅｘよりも高いと、中間不織布層内の繊維間の間隙が大きくなりすぎて、中間不織布層の内部の空間に高吸収性ポリマー粒子を固定することが困難になる。高吸収性ポリマー粒子が中間不織布層内に固定されておらず、第１不織布層と中間不織布層の間（および/または中間不織布層と第２不織布層の間）の空間に、自由に移動可能な状態で置かれると、着用者の体位などの影響を受けて、高吸収性ポリマー粒子が一部分に集まり、前方吸収要素に吸収力の偏りが生じてしまう（前方吸収要素に吸収力の高い部分と低い部分が生じてしまう）という問題がある。そのような吸収力の偏りを避けるために、第１不織布層と中間不織布層（および/または中間不織布層と第２不織布層）をホットメルト接着剤などで接着すると、接着剤によって前方吸収要素が硬くなるという問題があるとともに、使用する接着剤の量が増えて原価が上昇するという問題もある。
【００３１】
他方、中間不織布層の目付が５０ｇ／ｍ2より高く、中間不織布層の厚さが１ｍｍよりも薄く、中間不織布層を構成する繊維の繊度が２．０ｄｔｅｘよりも低いと、中間不織布層内の繊維間の間隙が小さくなりすぎて、中間不織布層の内部の空間に高吸収性ポリマー粒子を固定することが困難になる。この場合も、前述と同様に、前方吸収要素に吸収力の偏りが生じるという問題がある。また、そのような偏りを避けるために、多量のホットメルト接着剤を使用すると、接着剤によって前方吸収要素が硬くなるという問題があるとともに、使用する接着剤の量が増えて原価が上昇するという問題もある。そして、中間不織布層の厚さが厚くなると、着用者が不快感を覚えやすいという根本的な問題もある。
【００３２】
前述の中間不織布層としては、２０ｇ／ｍ2以上の目付を要し、かつ１ｍｍ以上の厚みを要するため、エアスルー不織布を用いることが好ましい。反対に、第１不織布層および第２不織布層は、前方吸収要素自体の厚みを抑えるため、薄い方が好ましい。具体的には、各不織布層の厚さを、０．２ｍｍ〜０．８ｍｍにすることが好ましく、０．４ｍｍ〜０．６ｍｍにすることがより好ましい。この場合、第１不織布層および第２不織布層の各不織布層の目付は、それぞれ２０ｇ／ｍ2よりも小さくすることが好ましく、１８ｇ／ｍ2よりも小さくすることがより好ましい。
【００３３】
以上の説明では、前方吸収要素について述べたが、後方吸収要素においてもすべて同様のことをいうことができる。
【００３４】
＜第６の態様＞
前記前方吸収要素の後端部と前記中間吸収要素の前端部、および前記中間吸収要素の後端部と前記後方吸収要素の前端部の少なくとも一方が、厚さ方向に重なり合っており、
この重なり合った部分の前後方向の長さが、１０ｍｍ以下である前記第１〜５の態様の吸収性物品。
【００３５】
（作用効果）
前方吸収要素の後端部と中間吸収要素の前端部に１０ｍｍ以下の重なりを設けることが好ましい。重なり部分を設けることで、中間吸収要素から前方吸収要素へ排泄液が移行しやすくなるため、吸収性物品の吸収能力が向上する。同様の理由によって、中間吸収要素の後端部と後方吸収要素の前端部に１０ｍｍ以下の重なりを設けても良い。この重なり部分は、前方吸収要素と中間吸収要素の間、および中間吸収要素と後方吸収要素の間のどちらか一方に設けても良いが、両方に設けるようにすると、吸収性物品の吸収能力がより向上する。
【発明の効果】
【００３６】
以上のとおり、本発明によれば、吸収体の薄型化を図ることができる。また、排泄液を漏れにくくすることも可能になる。
【図面の簡単な説明】
【００３７】
【図１】展開状態のパンツタイプ使い捨ておむつの内面を示す、平面図である。
【図２】展開状態のパンツタイプ使い捨ておむつの外面を示す、平面図である。
【図３】図１の２−２線断面図である。
【図４】図１の３−３線断面図である。
【図５】図１の４−４線断面図である。
【図６】（ａ）図１の５−５断面図、及び（ｂ）図１の６−６断面図である。
【図７】中間吸収要素の断面図である。（ａ）第１不織布層と第２不織布層の間の空間に高吸収性ポリマー粒子がある形態、（ｂ）中間不織布層に高吸収性ポリマー粒子が固定されている形態、（ｃ）第１不織布層および第２不織布層に高吸収性ポリマー粒子が固定されている形態である。
【発明を実施するための形態】
【００３８】
以下、本発明に係る吸収性物品１の好適な実施例について、図面を参照しながら説明する。以下の説明及び図面は、本発明の実施形態の一例を示したものにすぎず、本発明の内容をこの実施形態に限定して解釈すべきではない。
【００３９】
＜パンツタイプ使い捨ておむつの例＞
図１〜図６は吸収性物品として、パンツタイプ使い捨ておむつの一例を示している。このパンツタイプ使い捨ておむつは、前身頃Ｆの少なくとも胴周り部を構成する前側外装体１２Ｆ及び後身頃Ｂの少なくとも胴周り部を構成する後側外装体１２Ｂと、前側外装体１２Ｆから股間部を経て後側外装体１２Ｂまで延在するように外装体１２Ｆ，１２Ｂに設けられた内装体２００とを備えており、前側外装体１２Ｆの両側部と後側外装体１２Ｂの両側部とが接合されてサイドシール部１２Ａが形成されることにより、外装体１２Ｆ，１２Ｂの前後端部により形成される開口が装着者の胴を通すウエスト開口となり、内装体２００の幅方向ＷＤの両側において外装体１２Ｆ，１２Ｂの下縁及び内装体２００の側縁によりそれぞれ囲まれる部分が脚を通す脚開口となる。内装体２００は、尿等の排泄物等を吸収保持する部分であり、外装体１２Ｆ，１２Ｂは着用者の身体に対して内装体２００を支えるための部分である。また、符号Ｙは展開状態におけるおむつの全長（前身頃Ｆのウエスト開口の縁から後身頃Ｂのウエスト開口の縁までの前後方向ＬＤ長さ）を示しており、符号Ｘは展開状態におけるおむつの全幅を示している。
【００４０】
本形態のパンツタイプ使い捨ておむつは、サイドシール部１２Ａを有する前後方向ＬＤ範囲（ウエスト開口から脚開口の上端に至る前後方向ＬＤ範囲）として定まる胴周り領域Ｔと、脚開口を形成する部分の前後方向ＬＤ範囲（前身頃Ｆのサイドシール部１２Ａを有する前後方向ＬＤ領域と後身頃Ｂのサイドシール部１２Ａを有する前後方向ＬＤ領域との間）として定まる中間領域Ｌとを有する。胴周り領域Ｔは、概念的にウエスト開口の縁部を形成する「ウエスト部」Ｗと、これよりも下側の部分である「ウエスト下方部」Ｕとに分けることができる。通常、胴周り領域Ｔ内に幅方向ＷＤの伸縮応力が変化する境界（例えば弾性部材の太さや伸長率が変化する）を有する場合は、最もウエスト開口側の境界よりもウエスト開口側がウエスト部Ｗとなり、このような境界が無い場合は、内装体２００よりもウエスト開口側に延び出たウエスト延出部分１２Ｅがウエスト部Ｗとなる。これらの前後方向ＬＤの長さは、製品のサイズによって異なり、適宜定めることができるが、一例を挙げると、ウエスト部Ｗは１５〜４０ｍｍ、ウエスト下方部Ｕは６５〜１２０ｍｍとすることができる。一方、中間領域Ｌの両側縁は着用者の脚周りに沿うようにコ字状又は曲線状に括れており、ここが装着者の脚周りに沿う部位となる。
【００４１】
（内装体）
内装体２００は任意の形状を採ることができるが、図示の形態では長方形である。内装体２００は、図３〜図６に示されるように、着用者の肌側に位置するトップシート３０と、裏側に位置する液不透過性シート１１と、これらの間に介在された吸収要素５０とを備えており、吸収機能を担う本体部である。符号４０は、トップシート３０を透過した液を速やかに吸収要素５０へ移行させるために、トップシート３０と吸収要素５０との間に設けられた中間シート（セカンドシート）を示しており、符号６０は、内装体２００の両脇に排泄物が漏れるのを防止するために、内装体２００の両側部から装着者の脚周りに接するように延び出た起き上がりギャザー６０を示している。
【００４２】
（トップシート）
トップシート３０は、液透過性を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００４３】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００４４】
トップシート３０の両側部は、吸収要素５０の側縁で裏側に折り返しても良く、また折り返さずに吸収要素５０の側縁より側方にはみ出させても良い。
【００４５】
トップシート３０は、ヒートシール、超音波シールのような素材溶着による接合手段や、ホットメルト接着剤により裏側に隣接する部材に固定することが望ましい。
【００４６】
（中間シート）
トップシート３０を透過した液を速やかに吸収要素５０へ移行させるために、トップシート３０より液の透過速度が速い、中間シート（「セカンドシート」ともいう）４０を設けることができる。この中間シート４０は、液を速やかに吸収要素５０へ移行させて吸収要素５０による吸収性能を高め、吸収した液の吸収要素５０からの「逆戻り」現象を防止するためのものである。逆戻り現象を防止することを鑑みると、トップシート３０と吸収要素５０の間に、中間シート４０を設けることが好ましい。中間シート４０は省略することもできる。
【００４７】
中間シート４０としては、トップシート３０と同様の素材や、スパンレース不織布、スパンボンド不織布、ＳＭＳ不織布、パルプ不織布、パルプとレーヨンとの混合シート、ポイントボンド不織布又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは１７〜８０ｇ／ｍ2が好ましく、２５〜６０ｇ／ｍ2がより好ましい。不織布の原料繊維の太さは２．０〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００４８】
図面に例示した中間シート４０は、中間吸収要素５０Ｍの幅より短く中央に配置されているが、中間吸収要素５０Ｍの全幅にわたって設けてもよい。中間シート４０の前後方向ＬＤの長さは、おむつの全長と同一でもよいし、各吸収要素５０Ｆ、５０Ｍ、５０Ｂの長さと同一でもよいし、液を受け入れる領域を中心にした短い長さ範囲内であってもよい。
【００４９】
中間シート４０は、ヒートシール、超音波シールのような素材溶着による接合手段や、ホットメルト接着剤により表側又は裏側に隣接する部材に固定することが望ましい。
【００５０】
（液不透過性シート）
液不透過性シート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。液不透過性シート１１には、ムレ防止の観点から好まれて使用されている液不透過性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。この他にも、マイクロデニール繊維を用いた不織布、熱や圧力をかけることで繊維の空隙を小さくすることによる防漏性強化、高吸水性樹脂又は疎水性樹脂や撥水剤の塗工といった方法により、プラスチックフィルムを用いずに液不透過性としたシートも、液不透過性シート１１として用いることができるが、後述するカバー不織布１３とのホットメルト接着剤を介した接着時に十分な接着強度を得るため、樹脂フィルムを用いるのが望ましい。
【００５１】
液不透過性シート１１は、図示のように吸収要素５０の裏側に収まる幅とする他、防漏性を高めるために、吸収要素５０の両側に回り込ませてトップシート３０の両側部まで延在させることもできる。この延在部の幅は、左右それぞれ５〜２０ｍｍ程度が適当である。
【００５２】
（起き上がりギャザー）
起き上がりギャザー６０は、横漏れを防止するためのものであり、内装体２００の両側部に沿って前後方向ＬＤの全体にわたり延在し、内装体２００の側部から表側に起立するものである。
【００５３】
図１、図３〜図５に示した起き上がりギャザー６０は、付け根側部分６０Ｂが幅方向ＷＤ中央側に向かって斜めに起立し、中間部より先端側部分６０Ａが幅方向ＷＤ外側に向かって斜めに起立するものであるが、これに限定されるものではなく、全体として幅方向ＷＤ中央側に起立する形態等、適宜の変更が可能である。
【００５４】
より詳細に説明すると、図示例の起き上がりギャザー６０は、内装体２００の前後方向ＬＤの長さに等しい長さを有する帯状のギャザー不織布６２を、先端となる部分で幅方向ＷＤに折り返して二つに折り重ねるとともに、折り返し部分及びその近傍のシート間に、細長状のギャザー弾性部材６３を長手方向に沿って伸長状態で、幅方向ＷＤに間隔を空けて複数本固定してなるものである。起き上がりギャザー６０のうち先端部と反対側に位置する基端部（幅方向ＷＤにおいてシート折り返し部分と反対側の端部）は、内装体２００における液不透過性シート１１より裏側の側部に固定された付根部分６５とされ、この付根部分６５以外の部分は付根部分６５から延び出る本体部分６６（折り返し部分側の部分）とされている。また、本体部分６６は、幅方向ＷＤ中央側に延びる付け根側部分６０Ｂと、この付け根側部分６０Ｂの先端で折り返され、幅方向ＷＤ外側に延びる先端側部分６０Ａとを有している。この形態は面接触タイプの起き上がりギャザー６０であるが、幅方向ＷＤ外側に折り返されない線接触タイプの起き上がりギャザー６０も採用することができる。そして、本体部分６６のうち前後方向ＬＤの両端部が倒伏状態でトップシート３０の側部表面に対して固定された倒伏部分６７とされる一方で、これらの間に位置する前後方向ＬＤ中間部は非固定の自由部分６８とされ、この自由部分６８の少なくとも先端部に前後方向ＬＤに沿うギャザー弾性部材６３が伸長状態で固定されている。
【００５５】
以上のように構成された起き上がりギャザー６０では、ギャザー弾性部材６３の収縮力が前後方向ＬＤ両端部を近づけるように作用するが、本体部分６６のうち前後方向ＬＤ両端部が起立しないように固定されるのに対して、それらの間は非固定の自由部分６８とされているため、自由部分６８のみが図３に矢印で示すように身体側に当接するように起立する。特に、付根部分６５が内装体２００の裏側に位置していると、股間部及びその近傍において自由部分６８が幅方向ＷＤ外側に開くように起立するため、起き上がりギャザー６０が脚周りに面で当接するようになり、フィット性が向上するようになる。
【００５６】
図示例の起き上がりギャザー６０のように、本体部分６６が、幅方向ＷＤ中央側に延びる付け根側部分６０Ｂと、この付け根側部分６０Ｂの先端で折り返され幅方向ＷＤ外側に延びる先端側部分６０Ａとからなる屈曲形態では、倒伏部分６７で、先端側部分６０Ａと付け根側部分６０Ｂとが倒伏状態で接合されるとともに、付け根側部分６０Ｂが倒伏状態でトップシート３０に接合される。倒伏部分６７における対向面の接合には、種々の塗布方法によるホットメルト接着剤、及びヒートシールや超音波シール等の素材溶着による手段の少なくとも一方を用いることができる。
【００５７】
ギャザー不織布６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコーンなどにより撥水処理を施したものを好適に用いることができ、繊維目付けは１０〜３０ｇ／ｍ2程度とするのが好ましい。ギャザー弾性部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。なお、用語「伸長率」は自然長を１００％としたときの値を意味する。また、図示のように、二つに折り重ねたギャザー不織布６２の間に防水フィルム６４を介在させることもでき、この場合には防水フィルム６４の存在部分においてギャザー不織布６２を部分的に省略することもできるが、製品の外観及び肌触りを布のようにするためには、図示例のように、少なくとも起き上がりギャザー６０の基端から先端までの外面がギャザー不織布６２で形成されていることが必要である。
【００５８】
ギャザー弾性部材６３の本数は２〜６本が好ましく、３〜５本がより好ましい。配置間隔６０ｄは３〜１０ｍｍが適当である。このように構成すると、ギャザー弾性部材６３を配置した範囲で肌に対して面で当たりやすくなる。先端側だけでなく付け根側にもギャザー弾性部材６３を配置しても良い。
【００５９】
図示例の起き上がりギャザー６０の寸法は適宜定めることができるが、乳幼児用紙おむつの場合は、例えば図３に示すように、起き上がりギャザー６０の起立高さ（展開状態における本体部分６６の幅方向ＷＤ長さ）Ｗ２は１５〜６０ｍｍ、特に２０〜４０ｍｍであるのが好ましい。また、起き上がりギャザー６０をトップシート３０表面と平行になるように、平坦に折り畳んだ状態において最も内側に位置する折り目間の離間距離Ｗ１は６０〜１９０ｍｍ、特に７０〜１４０ｍｍであるのが好ましい。
【００６０】
（吸収要素）
複数の吸収要素５０が、吸収性物品の前後方向ＬＤに沿って、直列に配置されている。図１の態様では、前後方向ＬＤの前側に前方吸収要素５０Ｆを、前後方向ＬＤの中間に中間吸収要素５０Ｍを、前後方向ＬＤの後側に後方吸収要素５０Ｂを、それぞれ設けている。より詳細には、前身頃Ｆのウエスト下方部Ｕの前後方向ＬＤ中間部分に、前方吸収要素５０Ｆを配置している。また、前身頃Ｆのウエスト下方部Ｕの前後方向ＬＤ中間部分から、後身頃Ｂの中間領域Ｌの前後方向ＬＤ中間部分までの間に、中間吸収要素５０Ｍを配置している。さらに、後身頃Ｂの中間領域Ｌの前後方向ＬＤ中間部分から、後身頃Ｂのウエスト下方部Ｕの前後方向ＬＤ中間部分までの間に、後方吸収要素５０Ｂを配置している。
【００６１】
前方吸収要素５０Ｆおよび後方吸収要素５０Ｂは、表側に設けられた第１不織布層５１と、裏側に設けられた第２不織布層５２と、これら第１不織布層５１と第２不織布層５２との間に保持された高吸収性ポリマー粒子５３とを有する積層体である。また、中間吸収要素５０Ｍは、パルプ繊維及び高吸収性ポリマー粒子５３の集積体（吸収体５６）を包装シート５８で包んだものである。これらの構造については、後に詳述する。
【００６２】
前方吸収要素５０Ｆおよび後方吸収要素５０Ｂは、長方形や正方形などの任意の形状にすることができる。前方吸収要素５０Ｆの幅方向ＷＤの長さは、後方吸収要素５０Ｂの幅方向ＷＤの長さとほぼ同じである。また、前方吸収要素５０Ｆや後方吸収要素５０Ｂの幅方向ＷＤの長さは、内装体２００の幅方向ＷＤの長さとほぼ同じである。具体的には、内装体２００の幅方向ＷＤの長さが１００〜２００ｍｍであるときに、前方吸収要素５０Ｆの幅方向ＷＤの長さを９０〜２２０ｍｍ程度にすることが好ましく、後方吸収要素５０Ｂの幅方向ＷＤの長さを９０〜２２０ｍｍ程度にすることが好ましい。すなわち、前方吸収要素５０Ｆや後方吸収要素５０Ｂの幅方向ＷＤの長さは、内装体２００の幅方向ＷＤの長さの８０％〜１００％程度にすることが好ましく、１００％程度にすることがより好ましい。９０％よりも短いと、腹漏れや背漏れを生じるおそれがあり、１００％よりも長いと、起き上がりギャザー６０と干渉するおそれがあるからである。
【００６３】
男性（男の子）用の使い捨ておむつの場合、前方吸収要素５０Ｆの前後方向ＬＤの長さは、前身頃Ｆのウエスト下方部Ｕの前後方向ＬＤの長さよりも短くすることが好ましい。男性の排尿口は身体の中央よりも前側に位置するため、排尿口の位置に中間吸収要素５０Ｍを配置する必要があることを考慮すると、中間吸収要素５０Ｍを前後方向ＬＤ前側寄りに配置する必要があるからである。具体的には、前身頃Ｆのウエスト下方部Ｕの前後方向ＬＤの長さが６５ｍｍ〜１２０ｍｍであるときに、前方吸収要素５０Ｆの前後方向ＬＤの長さを３０ｍｍ〜９０ｍｍ程度にすることが好ましい。すなわち、前方吸収要素５０Ｆの前後方向ＬＤの長さは、前身頃Ｆのウエスト下方部Ｕの前後方向ＬＤの長さの５０％〜７５％程度にすることが好ましい。５０％よりも短いと、腹漏れが生じるおそれがあり、７５％よりも長いと、前方吸収要素５０Ｆの厚みにより、着用者が不快感を覚えるおそれがあるからである。
【００６４】
他方、後方吸収要素５０Ｂの前後方向ＬＤの長さは、後身頃Ｂの内装体２００の後端から、後身頃Ｂの中間領域Ｌの前後方向ＬＤ中間までとすることが好ましい。具体的には、１００ｍｍ〜３００ｍｍ程度にすることが好ましい。一般的に、使い捨ておむつの着用者が座ったり横になって眠る際に、着用者の体重が当該部位（内装体２００の後端から前後方向中央側に１００ｍｍ〜３００ｍｍ程度離れたところまでの範囲）に掛かりやすいため、当該部位で排泄液の逆戻りが生じやすい。そこで、当該部位に後方吸収要素５０Ｂを配置することが好ましい。すなわち、後方吸収要素５０Ｂは、パルプ繊維を含まない（もしくはパルプ繊維を含んだとしても少量である）ため、逆戻りを抑止する効果が高い。
【００６５】
前述のとおり、着用者の排尿口近辺と、そこから前後方向ＬＤにある程度の長さを持たせた領域に、中間吸収要素５０Ｍを配置することが好ましい。後述するが、中間吸収要素５０Ｍはパルプ繊維を含むため、排泄液Ｌｉの吸収スピードが速いからである。具体的には、中間吸収要素５０Ｍの前後方向ＬＤの長さは、１５０ｍｍ〜２００ｍｍ程度にすることが好ましい。
【００６６】
以上の説明では、男性（男の子）用の使い捨ておむつについて説明した。女性（女の子）用の使い捨ておむつの場合は、女性の排尿口が身体の中央部に位置するため、排尿口の位置に中間吸収要素５０Ｍを配置する必要があることを考慮すると、中間吸収要素５０Ｍを前後方向ＬＤ中央付近に配置する必要がある。そのため、図１のような男性用の使い捨ておむつに比べて、中間吸収要素５０Ｍの位置が中央寄りになる。それに伴い、前方吸収要素５０Ｆの前後方向ＬＤの長さが、図１よりも長くなり、後方吸収要素５０Ｂの前後方向ＬＤの長さが、図１よりも短くなる。
【００６７】
図１の態様では、前方吸収要素５０Ｆの前後方向ＬＤの後端部と、中間吸収要素５０Ｍの前後方向ＬＤの前端部が厚み方向に重なっている。重なり部分を設けることで、中間吸収要素５０Ｍから前方吸収要素５０Ｆへ排泄液Ｌｉが移行しやすくなり、吸収性物品の吸収能力が向上する。図１では、この重なり部分の前後方向ＬＤの長さを１０ｍｍにしているが、この長さは任意に変更することができる。具体的には、重なり部分の前後方向ＬＤの長さは５ｍｍ〜１０ｍｍにすることが好ましく、５ｍｍ〜７ｍｍにすることがより好ましい。重なり部分の前後方向ＬＤの長さが５ｍｍより短いと、中間吸収要素５０Ｍから前方吸収要素５０Ｆに排泄液Ｌｉが移行しにくいという問題がある。また、重なり部分の前後方向ＬＤの長さが１０ｍｍより長いと、着用者が吸収要素５０の厚みを感じて、不快感を覚える可能性があるという問題がある。
【００６８】
同様に、図１の態様では、中間吸収要素５０Ｍの前後方向ＬＤの後端部と、後方吸収要素５０Ｂの前後方向ＬＤの前端部が厚み方向に重なっている。中間吸収要素５０Ｍから後方吸収要素５０Ｂへ排泄液Ｌｉを移行して、吸収性物品の吸収能力を向上させるためである。図１では、この重なり部分の前後方向ＬＤの長さを１０ｍｍにしているが、この重なり部分の前後方向ＬＤの長さを、５ｍｍ〜１０ｍｍの範囲（より好ましくは５ｍｍ〜７ｍｍの範囲）で任意に変更することができる。前記と同様の理由からである。
【００６９】
なお、前方吸収要素５０Ｆの前後方向ＬＤ後端部と中間吸収要素５０Ｍの前後方向ＬＤ前端部を隣接させても良い。ここで、前方吸収要素５０Ｆと中間吸収要素５０Ｍを隣接させるとは、前方吸収要素５０Ｆと中間吸収要素５０Ｍの間で重なり部分を設けず、かつ前方吸収要素５０Ｆと中間吸収要素５０Ｍを前後方向ＬＤに離しすぎないで配置することをいう。前方吸収要素５０Ｆと中間吸収要素５０Ｍの間の離間距離は、５ｍｍ以内にすることが好ましく、３ｍｍ以内にすることが好ましく、０ｍｍとすることがより好ましい。前方吸収要素５０Ｆと中間吸収要素５０Ｍが離間距離が長くなると、中間吸収要素５０Ｍから前方吸収要素５０Ｆへ排泄液Ｌｉが移行しにくくなるからである。
【００７０】
同様に、中間吸収要素５０Ｍの前後方向ＬＤ後端部と後方吸収要素５０Ｂの前後方向ＬＤ前端部を隣接させても良い。中間吸収要素５０Ｍと後方吸収要素５０Ｂを隣接させるとは、中間吸収要素５０Ｍと後方吸収要素５０Ｂの間で重なり部分を設けず、かつ中間吸収要素５０Ｍと後方吸収要素５０Ｂを前後方向ＬＤに離しすぎないで配置することをいう。ここで、中間吸収要素５０Ｍと後方吸収要素５０Ｂの間の離間距離は、５ｍｍ以内にすることが好ましく、３ｍｍ以内にすることが好ましく、０ｍｍとすることがより好ましい。前記と同様の理由からである。
【００７１】
図６の態様では、中間吸収要素５０Ｍを厚み方向の裏側（下側）に配置し、前方吸収要素５０Ｆ及び後方吸収要素５０Ｂを厚み方向の肌側（上側）に配置している。中間吸収要素５０Ｍを裏側に配置すると、中間吸収要素５０Ｍを肌側に配置した場合と比べて、着用者の排泄口と中間吸収要素５０Ｍの間の距離が長くなるため、中間吸収要素５０Ｍに吸収された排泄液Ｌｉが逆戻りしにくくなる。このような利点を考慮せずに、前方吸収要素５０Ｆ及び後方吸収要素５０Ｂを下側に配置し、中間吸収要素５０Ｍを上側に配置しても良い。
【００７２】
また、図１の態様において、中間吸収要素５０Ｍの幅方向ＷＤの長さは、前方吸収要素５０Ｆや後方吸収要素５０Ｂの幅方向ＷＤの長さよりも短くなっている。中間吸収要素５０Ｍの幅を短くすることにより、吸収性物品が着用者の足回りにフィットしやすくなる。
【００７３】
中間吸収要素５０Ｍは、吸収体５６Ｆと、この吸収体５６Ｆの全体を包む包装シート５８を有する。この包装シート５８は省略することもできる。
【００７４】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。吸収体５６の中に高吸収性ポリマー粒子５３を分散保持させることが好ましい。
【００７５】
（高吸収性ポリマー粒子）
吸収体５６は、前記繊維集合体の一部または全部に、高吸収性ポリマー粒子５３を含有させることができる。高吸収性ポリマー粒子５３とは、「粒子」以外に「粉体」も含む。高吸収性ポリマー粒子５３としては、この種の使い捨ておむつに使用されるものをそのまま使用でき、例えば５００μｍの標準ふるい（ＪＩＳ Ｚ８８０１−１：２００６）を用いたふるい分け（５分間の振とう）でふるい上に残る粒子の割合が３０重量％以下のものが望ましく、また、１８０μｍの標準ふるい（ＪＩＳ Ｚ８８０１−１：２００６）を用いたふるい分け（５分間の振とう）でふるい上に残る粒子の割合が６０重量％以上のものが望ましい。
【００７６】
高吸収性ポリマー粒子５３の材料としては、特に限定無く用いることができるが、吸水量が４０ｇ／ｇ以上のものが好適である。高吸収性ポリマー粒子５３としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子５３の形状としては、通常用いられる粉粒体状のものが好適であるが、他の形状のものも用いることができる。
【００７７】
高吸収性ポリマー粒子５３としては、吸水速度が７０秒以下、特に４０秒以下のものが好適に用いられる。吸水速度が遅すぎると、吸収体５６内に供給された液が吸収体５６外に戻り出てしまう所謂逆戻りを発生し易くなる。
【００７８】
また、高吸収性ポリマー粒子５３としては、ゲル強度が１０００Ｐａ以上のものが好適に用いられる。これにより、嵩高な吸収体５６とした場合であっても、液吸収後のべとつき感を効果的に抑制できる。
【００７９】
高吸収性ポリマー粒子５３の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００８０】
必要であれば、高吸収性ポリマー粒子５３は、吸収体５６の平面方向で散布密度あるいは散布量を調整できる。例えば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００８１】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子５３が抜け出ないシートであるのが望ましい。下層吸収体５６Ｄを包む包装シート５８として、クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００８２】
吸収体５６の肌面側および裏面側にそれぞれ配置される包装シート５８のうち、少なくともどちらか一方は、エアスルー製法で製造された嵩が高いエアスルー不織布を用いることが好ましい。このエアスルー不織布としては、嵩の高さが１〜５ｍｍ、目付けが２５〜５０ｇ／ｍ2のものが好ましい。嵩高のエアスルー不織布を用いることにより、高吸収性ポリマー粒子５３が尿などの体液を吸収して膨潤した時における膨潤スペースを確保することができる。
【００８３】
包装シート５８の包装形態は適宜定めることができるが、製造容易性、前後端縁からの高吸収性ポリマー粒子５３の漏れ防止、資材点数の減少等の観点から、吸収体５６の表裏面及び両側面を取り囲むように筒状に巻き付け、かつその前後縁部を吸収体５６の前後からはみ出させ、巻き重なる部分及び前後はみ出し部分の重なり部分をホットメルト接着剤、素材溶着等の接合手段により接合する形態が好ましい。
【００８４】
（前方吸収要素、中間吸収要素、後方吸収要素）
前方吸収要素５０Ｆおよび後方吸収要素５０Ｂは、図７（ａ）〜（ｃ）に示す例のように、第１不織布層５１と、第２不織布層５２と、これら第１不織布層５１と第２不織布層５２との間に保持された高吸収性ポリマー粒子５３とを有する積層体である。以下の記述においては、前方吸収要素５０Ｆの積層構造と、その前方吸収要素５０Ｆに含まれる高吸収性ポリマー粒子５３を例に挙げて説明するが、後方吸収要素５０Ｂの積層構造と、その後方吸収要素５０Ｂに含まれる高吸収性ポリマー粒子５３についてもすべて同様のことをいうことができる。すなわち、前方吸収要素５０Ｆの積層構造と、その前方吸収要素５０Ｆに含まれる高吸収性ポリマー粒子５３の説明箇所に関しては、「前方吸収要素５０Ｆ」の文言を「後方吸収要素５０Ｂ」の文言に置き換えることが可能である。
【００８５】
図７（ａ）に示したように、第１不織布層５１と第２不織布層５２の間に、高吸収性ポリマー粒子５３が移動可能な状態で置かれると、着用者の体位等の影響を受けて、高吸収性ポリマー粒子５３が一部分に集中し、他方、他の部分にはほとんど存在しなくなり、結果として前方吸収要素５０Ｆの吸収力に偏りが生じてしまう。そのため、このような形態では、第１不織布層５１と第２不織布層５２の間を多量のホットメルト接着剤等によって接合し、高吸収性ポリマー粒子５３の移動を制限することが好ましい。
【００８６】
一方、図７（ｂ）に示すように、第１不織布層５１と第２不織布層５２の間に中間不織布層５７を設け、この中間不織布層５７に高吸収性ポリマー粒子５３を固定する態様が好ましい態様である。この場合、中間不織布層５７の目付は、２０〜５０ｇ／ｍ2にすることが好ましく、３０〜４０ｇ／ｍ2にすることがより好ましい。それとともに、中間不織布層５７の厚さを、１ｍｍ〜１０ｍｍにすることが好ましく、３ｍｍ〜５ｍｍにすることがより好ましい。さらに、それとともに、中間不織布層５７を構成する繊維の繊度を２．０〜６．０ｄｔｅｘにすることが好ましく、３．０〜５．０ｄｔｅｘにすることがより好ましい。
【００８７】
中間不織布層５７の目付が２０ｇ／ｍ2より低く、かつ、中間不織布層５７の厚さが１０ｍｍよりも厚く、かつ、中間不織布層５７を構成する繊維の繊度が６．０ｄｔｅｘよりも高いと、中間不織布層５７の内部の繊維間の間隙が大きくなりすぎて、中間不織布層５７の内部の空間に高吸収性ポリマー粒子５３を固定することが困難になる。例えば、製造時において、このような条件の中間不織布層５７に高吸収性ポリマー粒子５３を散布した場合、高吸収性ポリマー粒子５７が中間不織布層５７の繊維間の間隙を通って、裏側へ抜けてしまう。このように、高吸収性ポリマー粒子５３が中間不織布層５７の内部に固定されておらず、第１不織布層５１と中間不織布層５７の間の空間または中間不織布層５７と第２不織布層５２の間の空間に自由に移動可能な状態で置かれると、着用者の体位などの影響を受けて、高吸収性ポリマー粒子５３が一部分に集まる。その結果、平面視で、前方吸収要素５０Ｆに吸収力の高い部分と吸収力の低い部分が生じ、吸収力の偏りが生じてしまう。そして、このような吸収力の偏りを避けるために、各不織布層の間（第１不織布層５１と中間不織布層５７の間、および中間不織布層５７と第２不織布層５２の間）を多量のホットメルト接着剤などで接着すると、接着剤によって中間吸収要素５０Ｍが硬くなってしまう。
【００８８】
他方、中間不織布層５７の目付が５０ｇ／ｍ2より高く、中間不織布層５７の厚さが１ｍｍよりも薄く、中間不織布層５７を構成する繊維の繊度が２．０ｄｔｅｘよりも低いと、中間不織布層５７の内部の繊維間の間隙が小さくなりすぎて、中間不織布層５７内の繊維間の間隙に高吸収性ポリマー粒子５３が入りにくくなるため、この場合も高吸収性ポリマー粒子５３を中間不織布層５７に固定することが困難である。そのため、前述と同様に、前方吸収要素５０Ｆに吸収力の偏りが生じてしまう。そのような偏りを避けるために、多量のホットメルト接着剤を使用すると、接着剤によって中間吸収要素５０Ｍが硬くなってしまうとともに、使用する接着剤の量が増えて原価が上昇してしまう。
【００８９】
また、図７（ｃ）に示すように、第１不織布層５１と第２不織布層５２のそれぞれに対して、高吸収性ポリマー粒子５３を固定するようにしてもよい。なお、このような構造の前方吸収要素５０Ｆは、例えば第１不織布層５１及び第２不織布層５２における一方の対向面の全体にわたり連続的又は間欠的にホットメルト接着剤４４を塗布し、その塗布面上に高吸収性ポリマー粒子５３を散布した後に、第１不織布層５１及び第２不織布層５２を貼り合わせることにより製造することができる。
【００９０】
そのほか、前方吸収要素５０Ｆは、第１不織布層５１と第２不織布層５２との間に高吸収性ポリマー粒子５３が保持される限り、どのような位置に高吸収性ポリマー粒子５３を含有していてもよい。
【００９１】
なお、前記各積層体における隣り合う層は互いにホットメルト接着剤等により接合されていることが好ましい。ただし、ホットメルト接着剤の量を多くすると、前方吸収要素５０Ｆが硬くなり、着用者が不快感を覚えやすいため、多量に使用しない方がこの好ましい。
【００９２】
第１不織布層５１および第２不織布層５２は特に限定されないが、高吸収性ポリマー粒子５３が、前方吸収要素５０Ｆの外に漏れだすことを防ぐため、各不織布層５１、５２を構成する繊維の間隙が、高吸収性ポリマー粒子５３の直径よりも小さいスパンボンド不織布やＳＭＳ不織布を用いることが好ましい。また、第１不織布層５１および第２不織布層５２は、排泄液Ｌｉを内部の空間５４に移行させるために、親水性にすることが好ましい。さらに、前方吸収要素５０Ｆ全体の厚さを薄くし、着用者が不快感を覚えることを防ぐために、薄いものにすることが好ましい。具体的には、第１不織布層５１の目付は、８〜２０ｇ／ｍ2にすることが好ましく、１３〜１８ｇ／ｍ2にすることがより好ましい。それとともに、第１不織布層５１の厚さを、０．２〜０．８ｍｍにすることが好ましく、０．４〜０．６ｍｍにすることがより好ましい。さらに、それとともに、第１不織布層５１を構成する繊維の繊度を１．５〜４．０ｄｔｅｘにすることが好ましく、２．５〜３．０ｄｔｅｘにすることがより好ましい。第２不織布層５２についても、第１不織布層５１と同様の範囲の目付、厚み、繊度とすることが好ましい。
【００９３】
第１不織布層５１の厚さが０．８ｍｍよりも厚く、目付が８ｇ/ｃｍ2より低く、繊度が４．０ｄｔｅｘよりも大きいと、第１不織布層５１を構成する繊維間の間隙が大きくなりすぎて、第１不織布層５１の外部に（すなわち、前方吸収要素５０Ｆの外側に）第１不織布層５１の外部に高吸収性ポリマー粒子が漏れ出るおそれがある。前述と同様の理由から、第２不織布層５２においても、第１不織布層５１と同様の厚さ、目付、繊度にすることが好ましい。
【００９４】
前方吸収要素５０Ｆおよび後方吸収要素５０Ｂに含まれる高吸収性ポリマー粒子５３としては、中間吸収要素５０Ｍと同様のものを用いることができるが、中でも液透過性に優れるもの、具体的には吸水速度が２０〜３５秒かつ吸収量が５０〜７０ｇ／ｇであるものが好ましい。一方、中間吸収要素５０Ｍに含まれる高吸収性ポリマー粒子５３は吸収量が多いもの、具体的には吸水速度が６０〜８０秒かつ吸収量が５０〜７０ｇ／ｇであるものが好適である。中間吸収要素５０Ｍにおける高吸収性ポリマー粒子５３の目付けは適宜定めることができるが、５０〜２００ｇ／ｍ2程度とすることが好ましい。
【００９５】
中間吸収要素５０Ｍは、拡散性の向上機能も担うため、前方吸収要素５０Ｆ及び後方吸収要素５０Ｂの前後方向ＬＤの中間、かつ前方吸収要素５０Ｆ及び後方吸収要素５０Ｂの幅方向ＷＤの中間に配置される。
【００９６】
特徴的には、中間吸収要素５０Ｍの前後方向ＬＤ両端部の位置において、中間吸収要素５０Ｍと前方吸収要素５０Ｆとが接合された接合部８０を有するとともに、中間吸収要素５０Ｍと後方吸収要素５０Ｂとが接合された接合部８０を有し、これら接合部８０の間に、中間吸収要素５０Ｍの前後方向ＬＤ全体にわたって、中間吸収要素５０Ｍと前方吸収要素５０Ｆ、および中間吸収要素５０Ｍと後方吸収要素５０Ｂとが接合されていない非接合部８１を有している。非接合部８１の幅は特に限定されるものではないが、中間吸収要素５０Ｍの全長（前後方向ＬＤの長さ）の８０％〜１００％であると好ましい。接合部８０は、幅方向ＷＤに連続的に設ける他、幅方向ＷＤに間欠的に設けることもできる。
【００９７】
排泄時には、中間吸収要素５０Ｍに供給された排泄液Ｌｉは中間吸収要素５０Ｍ内に浸透及び拡散し、一部は中間吸収要素５０Ｍ内の高吸収性ポリマー粒子５３およびパルプ繊維に吸収され、残りは高吸収性ポリマー粒子５３およびパルプ繊維により吸収されずに浸透及び拡散し、前方吸収要素５０Ｆや後方吸収要素５０Ｂへ向かうこととなる。ここで、図６に矢印で排泄液Ｌｉの流れを示すように、非接合部８１では中間吸収要素５０Ｍの裏側に他の吸収要素がないため、中間吸収要素５０Ｍから下方へ排泄液Ｌｉの移行が起こりにくい。そのため、中間吸収要素５０Ｍ内の排泄液Ｌｉは周囲に拡散しやすくなり、前方吸収要素５０Ｆおよび後方吸収要素５０Ｂに排泄液Ｌｉが到達しやすくなる。つまり、拡散性の向上による吸収可能量の増加も図られる。
【００９８】
また、中間吸収要素５０Ｍは、パルプ繊維を含むため、前方吸収要素５０Ｆおよび後方吸収要素５０Ｂと比べて、吸収スピードが速い。そのため、中間吸収要素５０Ｍの肌面側に液だまりが生じにくく、排泄液Ｌｉが着用者の肌に接触することによる不快感を覚えにくい。
【００９９】
他方、前方吸収要素５０Ｆおよび後方吸収要素５０Ｂはこのパルプ繊維を含まないため（含んだとしてもごく少量であるため）、厚さを薄くすることができる。そのため、当該部分の厚さが薄くなり、着用者が不快感を覚えにくくなる。
【０１００】
また、前方吸収要素５０Ｆおよび後方吸収要素５０Ｂと、前述の中間吸収要素５０Ｍを組み合わせることにより、効果的に、吸収体５６の強度低下及び吸収体５６の厚みの増加を防止しつつ、吸収可能量を向上させるとともに、吸収速度も確保することができる。
【０１０１】
以上のように、前方吸収要素５０Ｆおよび後方吸収要素５０Ｂとしては、第１不織布層５１と第２不織布層５２の間に、高吸収性ポリマー粒子５３を間欠的に配置した高吸収性ポリマーシート（ＳＡＰシート、Super Absorbent Polymer Sheet）を用いることが好ましい。この高吸収性ポリマーシートは、パルプが含まれていないため、嵩が増えにくいという利点があるからである。また、繊維集合体に高吸収性ポリマー粒子５３を含有させた中間吸収要素５０Ｍと異なり、高吸収性ポリマー粒子５３が肌面側に位置することになるため、排泄液Ｌｉが逆戻りすることを防止できるという利点もある。
【０１０２】
前方吸収要素５０Ｆのうち、第１不織布層５１に固定された高吸収性ポリマー粒子５３Ｕや、第１不織布層５１と中間不織布層５７の間に保持された前記高吸収性ポリマー粒子５３Ｕは、粒子が破砕されたタイプが好ましい。この破砕タイプの高吸収性ポリマー粒子５３Ｕは、通液性が高く、排泄液Ｌｉが中間不織布層５７よりも下方側（中間不織布層５７を設けない態様では第２不織布層５２）に流れ込むことを阻害しにくいからである。他方、第２不織布層５２に固定される高吸収性ポリマー粒子５３Ｄや、第２不織布層５２と中間不織布層５７の間に保持された前記高吸収性ポリマー粒子５３Ｄは、破砕タイプ以外にも、破砕していないポリマー粒子、すなわちパールタイプの高吸収性ポリマー粒子５３を用いることができる。
【０１０３】
反対に、第１不織布層５１に固定された高吸収性ポリマー粒子５３Ｕや、第１不織布層５１と中間不織布層５７の間に保持された前記高吸収性ポリマー粒子５３Ｕとして、通液性の高い破砕タイプ以外に、高い保水性があるパールタイプを用いても良い。第１不織布層５１に固定された高吸収性ポリマー粒子５３Ｕや、第１不織布層５１と中間不織布層５７の間に保持された前記高吸収性ポリマー粒子５３Ｕとして、保水性の高い高吸収性ポリマー粒子５３を用いると、破砕タイプの高吸収性ポリマー粒子５３を用いた場合と比べて、尿の逆戻り防止効果が高くなる。
【０１０４】
第１不織布層５１および第２不織布層５２に用いる不織布としては、目的に応じて公知の不織布を適宜使用することができる。不織布の構成繊維としては、例えばポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布の柔軟性を高めるために、構成繊維を捲縮繊維とするのは好ましい。また、不織布の構成繊維は、親水性繊維（親水化剤により親水性となった疎水性繊維を含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（スパンボンド層間にメルトブローン層を挟んだＳＭＳ不織布、ＳＭＭＳ不織布等）等に分類されるが、これらのどの不織布も用いることができる。
【０１０５】
このとき、第１不織布層５１の不織布及び第２不織布層の不織布５２の少なくとも一方は、スパンボンド不織布またはＳＭＳ不織布にすることが好ましい。一般的に、スパンボンド不織布やＳＭＳ不織布は、嵩が少ないため、前方吸収要素５０Ｆおよび後方吸収要素５０Ｂの厚みを薄くすることができ、着用者の不快感をより軽減することができるからである。
【０１０６】
図７（ａ）（ｂ）の例においては、第１不織布層５１および第２不織布層５２に１５ｇ/ｍ2のスパンボンド不織布を用いている。第１不織布層５１と第２不織布層５２の間の間隙５４に、他の不織布を挟む場合は、例えば３０ｇ/ｍ2のエアスルー不織布を用いることができる。
【０１０７】
なお、第１不織布層５１は複数枚の不織布を積層したものであっても良いし、一枚の不織布を折り返して複数層にしたものであっても良い。この点に関して、第２不織布層５２も同様である。ただし、前方吸収要素５０Ｆおよび後方吸収要素５０Ｂを薄型化して、着用者の不快感を軽減するためには、第１不織布層５１を一層にすることが好ましく、かつ、第２不織布層５２も一層にすることが好ましい。
【０１０８】
（外装体）
外装体１２Ｆ，１２Ｂは、前身頃Ｆから後身頃Ｂにかけて股間を通り連続する一体的なものとする等、特に限定されるものではないが、図示例では前身頃Ｆの少なくとも胴周り部を構成する部分である長方形の前側外装体１２Ｆと、後身頃Ｂの少なくとも胴周り部を構成する部分である長方形の後側外装体１２Ｂとからなり、前側外装体１２Ｆ及び後側外装体１２Ｂは股間側で連続しておらず、前後方向ＬＤに離間されたものとなっている。この離間距離１２ｄは例えば１５０〜２５０ｍｍ程度とすることができる。
【０１０９】
外装体１２Ｆ，１２Ｂは、胴周り領域Ｔを有する。また、本形態では、前側外装体１２Ｆよりも後側外装体１２Ｂの方が前後方向ＬＤの寸法が長くなっており、後側外装体１２Ｂは胴周り領域Ｔから中間領域Ｌ側に延び出た臀部カバー部Ｃを有しているが、前側外装体１２Ｆは、前記臀部カバー部Ｃを有していない。図示しないが、前側外装体１２Ｆにも胴周り領域Ｔから中間領域Ｌ側に延び出る鼠蹊カバー部を設けても良い。
【０１１０】
外装体１２Ｆ，１２Ｂは、図示したように、後述する弾性部材１５〜１９の外側及び内側にそれぞれ位置する外側シート層１２Ｓ及び内側シート層１２Ｈがホットメルト接着剤や溶着等の接合手段により接合されたものである。外側シート層１２Ｓを形成するシート材及び内側シート層１２Ｈを形成するシート材は、図示例のように共通の一枚のシート材とする他、個別のシート材とすることもできる。すなわち、前者の場合、外装体の一部又は全部において、ウエスト開口ＷＯの縁（股間側の縁としても良い）で折り返された一枚のシート材の内側の部分及び外側の部分により内側シート層１２Ｈ及び外側シート層１２Ｓがそれぞれ形成される。
【０１１１】
外側シート層１２Ｓ及び内側シート層１２Ｈに用いるシート材としては、特に限定無く使用できるが不織布が好ましく、例えば、ポリエチレンやポリプロピレン等のオレフィン系、ポリエステル系、ポリアミド系等の合成繊維や、これらから二種以上が使用された混合繊維、複合繊維などからなる不織布を使用することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その目付けは１０〜３０ｇ／ｍ2程度とするのが好ましい。
【０１１２】
（伸縮領域・非伸縮領域）
外装体１２Ｆ，１２Ｂには、装着者の胴周りに対するフィット性を高めるために、外側シート層１２Ｓ及び内側シート層１２Ｈ間に弾性部材１５〜１９が設けられ、弾性部材の伸縮を伴って幅方向ＷＤに弾性伸縮する伸縮領域Ａ２が形成されている。この伸縮領域Ａ２では、自然長の状態では外側シート層１２Ｓ及び内側シート層１２Ｈが弾性部材の収縮に伴って収縮し、皺又は襞が形成されており、弾性部材の長手方向に伸長すると、外側シート層１２Ｓ及び内側シート層１２Ｈが皺なく伸び切る所定の伸長率まで伸長が可能である。弾性部材１５〜１９としては、糸ゴム等の細長状の弾性部材（図示例）のほか、帯状、網状、フィルム状等、公知の弾性部材を特に限定なく用いることができる。弾性部材１５〜１９としては合成ゴムを用いても、天然ゴムを用いても良い。
【０１１３】
外装体１２Ｆ，１２Ｂにおける外側シート層１２Ｓ及び内側シート層１２Ｈの貼り合わせや、その間に挟まれる弾性部材１５〜１９の固定には、種々の塗布方法によるホットメルト接着剤及びヒートシールや超音波シール等の素材溶着による固定手段の少なくとも一方を用いることができる。外装体１２Ｆ，１２Ｂ全面を強固に固定すると柔軟性を損ねるため、弾性部材１５〜１９の接着部以外の部分は接着しないか弱く接着するのが好ましい。図示例では、コームガンやシュアラップノズル等の塗布手段により弾性部材１５〜１９の外周面にのみホットメルト接着剤を塗布して両シート層１２Ｓ，１２Ｈ間に挟むことにより、当該弾性部材１５〜１９の外周面に塗布したホットメルト接着剤のみで、両シート層１２Ｓ，１２Ｈへの弾性部材１５〜１９の固定と、両シート層１２Ｓ，１２Ｈ間の固定とを行う構造となっている。弾性部材１５〜１９は伸縮領域における伸縮方向の両端部のみ、外側シート層１２Ｓ及び内側シート層１２Ｈに固定することができる。
【０１１４】
図示例のウエスト下方部Ｕや臀部カバー部Ｃのように、吸収体５６を有する前後方向ＬＤの範囲に弾性部材１５，１６，１９を設ける場合には、その一部又は全部において吸収体５６の幅方向ＷＤの収縮を防止するために、吸収体５６と幅方向ＷＤに重なる部分の一部又は全部を含む幅方向ＷＤ中間（好ましくは内外接合部２０１，２０２の全体を含む）が非伸縮領域Ａ１とされ、その幅方向ＷＤ両側が伸縮領域Ａ２とされる。ウエスト部Ｗは幅方向ＷＤの全体にわたり伸縮領域Ａ２とされるのが好ましいが、ウエスト下方部Ｕと同様に、幅方向ＷＤ中間に非伸縮領域Ａ１を設けても良い。
【０１１５】
このような伸縮領域Ａ２及び非伸縮領域Ａ１は、内側シート層１２Ｈと、外側シート層１２Ｓとの間に、弾性部材１５〜１７，１９を供給し、弾性部材１５，１６，１９を伸縮領域Ａ２における少なくとも伸縮方向の両端部でホットメルト接着剤を介して固定し、非伸縮領域Ａ１となる領域では固定せず、非伸縮領域Ａ１となる領域において、弾性部材１５，１６，１９を加圧及び加熱により幅方向ＷＤ中間の１か所で切断するか、又は多数個所で細かく切断し、伸縮領域Ａ２に伸縮性を残しつつ非伸縮領域Ａ１では伸縮性を殺すことにより構築することができる。前者の場合、図４に示すように、非伸縮領域Ａ１には、伸縮領域Ａ２の弾性部材１５，１６，１９から連続する切断残部が不要弾性部材１８として単独で自然長まで収縮した状態で、外側シート層１２Ｓ及び内側シート層１２Ｈ間に残ることとなり、後者の場合、図示しないが、伸縮領域Ａ２の弾性部材１５，１６，１９から連続する切断残部、及び両方の伸縮領域Ａ２の弾性部材１５，１６，１９と連続しない弾性部材の切断片が不要弾性部材として単独で自然長まで収縮した状態で、外側シート層１２Ｓ及び内側シート層１２Ｈ間に残ることになる。
【０１１６】
（カバー不織布）
外装二分割タイプのパンツタイプ使い捨ておむつでは、前側外装体１２Ｆ及び後側外装体１２Ｂとの間に内装体２００が露出するため、内装体２００の裏面に液不透過性シート１１が露出しないように、前側外装体１２Ｆと内装体２００との間から、後側外装体１２Ｂと内装体２００との間にかけて、内装体２００の裏面を覆うカバー不織布１３を備えていることが好ましい。
【０１１７】
カバー不織布１３に用いる不織布は、例えば外装体１２Ｆ，１２Ｂの素材と同様のものを適宜選択することができる等、繊維の種類や、繊維の結合（交絡）方法により特に限定されるものではないが、エアスルー不織布を用いることが望ましく、その場合の目付けは２０〜４０ｇ／ｍ2、厚みは０．３〜１．０ｍｍであると好ましい。カバー不織布１３としては、表裏に貫通する孔を有しない無孔不織布を用いても、また表裏に貫通する孔が間隔を空けて多数設けられた有孔不織布を用いてもよい。
【０１１８】
カバー不織布１３の前後方向ＬＤの範囲は特に限定されず、図２及び図５に示すように、内装体２００の前端から後端までの全体にわたり前後方向ＬＤに延在していてもよく、前側外装体１２Ｆと内装体２００とが重なる領域の前後方向ＬＤ中間位置から後側外装体１２Ｂと内装体２００とが重なる領域の前後方向ＬＤ中間位置まで前後方向ＬＤに延在していてもよい。また、図６に示す例の場合、カバー不織布１３と前側外装体１２Ｆとの重なり部分の前後方向ＬＤの長さ１３ｙ、及びカバー不織布１３と後側外装体１２Ｂとの重なり部分の前後方向ＬＤの長さ１３ｙは適宜定めることができるが、通常の場合それぞれ２０〜４０ｍｍ程度とすることができる。
【０１１９】
カバー不織布１３の幅方向ＷＤの範囲は、液不透過性シート１１の裏面露出部分を隠しうる範囲とされる。このため、図示例では、左右の起き上がりギャザー６０の基端の間に液不透過性シート１１が露出するため、少なくとも一方の起き上がりギャザー６０の基端部の裏側から他方の起き上がりギャザー６０の基端部の裏側までの幅方向ＷＤの範囲を覆うようにカバー不織布１３が設けられている。これにより、液不透過性シート１１をカバー不織布１３と起き上がりギャザー６０のギャザー不織布６２とで隠蔽することができる。また、カバー不織布１３の幅方向ＷＤ両端部が起き上がりギャザー６０の基端部の裏側を覆うのではなく、ギャザー不織布６２がカバー不織布１３の幅方向ＷＤ両端部の裏側を覆うようにしても、カバー不織布１３とギャザー不織布６２とで液不透過性シート１１を隠蔽することは可能である。この場合、カバー不織布１３の両側部がギャザー不織布６２により覆われるため、カバー不織布１３の両側部が液不透過性シート１１から剥がれにくくなるという利点がある。
【０１２０】
カバー不織布１３の内面及び外面は、それぞれ対向面にホットメルト接着剤を介して接着することができる。カバー不織布１３の固定領域は、カバー不織布１３の前後方向ＬＤ全体及び幅方向ＷＤ全体とするほか、一部を非固定とすることもできる。例えばカバー不織布１３の幅方向ＷＤ両端部が非固定であると、起き上がりギャザー６０の影響で吸収体５６の側部がいくらか収縮した状態でもその影響を受けにくくなり、カバー不織布１３に皺や折れが形成されにくいという利点がもたらされる。この場合におけるカバー不織布１３の幅方向ＷＤ両端部の非固定部分の幅は適宜定めればよいが、例えば３〜１０ｍｍ、好ましくは５〜８ｍｍとすることができる。
【０１２１】
（内外接合部）
内装体２００の外装体１２Ｆ，１２Ｂに対する固定は、ヒートシール、超音波シールのような素材溶着による接合手段や、ホットメルト接着剤により行うことができる。図示例では、内装体２００の裏面、つまりこの場合は液不透過性シート１１の裏面及び起き上がりギャザー６０の付根部分６５に塗布されたホットメルト接着剤を介して外装体１２Ｆ，１２Ｂの内面に対して固定されている。この内装体２００と外装体１２Ｆ，１２Ｂとを固定する内外接合部２０１，２０２は、図２に示すように、両者が重なる領域のほぼ全体に設けることができ、例えば内装体２００の幅方向ＷＤ両端部を除いた部分に設けることもできる。
【０１２２】
（製造方法）
包装シート５８の上に前方吸収要素５０Ｆと後方吸収要素５０Ｂを載置する。その際、前方吸収要素５０Ｆと後方吸収要素５０Ｂの間に間隙（製品の前後方向ＬＤの間隙）を空ける。そして、前方吸収要素５０Ｆと後方吸収要素５０Ｂの上に包装シート５８を被せる。そして、それらの下に中間吸収要素５０Ｍを載置する。中間吸収要素５０Ｍを載置する位置は、前方吸収要素５０Ｆと後方吸収要素５０Ｂの間の間隙部分である。その後、これらの吸収要素５０Ｆ、５０Ｍ、５０Ｂの連結体を任意の位置でカットする。男性用（男の子用）の使い捨ておむつの場合は、排尿口の位置が前側にあるため、中間吸収要素５０Ｍが、製品の前後方向ＬＤ前側の位置となるように、カットする。それに対して、女性用（女の子用）の使い捨ておむつの場合は、排尿口の位置が中央付近にあるため、中間吸収要素５０Ｍが、製品の前後方向ＬＤ中央の位置となるように、カットする。以上のように、カット位置を変更するだけで、男女別仕様の使い捨ておむつを製造することができる。
【０１２３】
（その他）
前記の説明においては、排尿に関するものを例示して説明したが、本発明はこれに限られるものではなく、尿のほかに水分量が多い便（軟便）などにも有効である。
【０１２４】
図面においては、前方吸収要素５０Ｆが１つの吸収要素５０から構成されるものを示したが、このような構成に限られるものではなく、複数個の吸収要素５０を前後方向ＬＤや幅方向ＷＤに並べて、それを前方吸収要素５０Ｆと称しても良い。この点は、中間吸収要素５０Ｍや後方吸収要素５０Ｂも同様である。重要な点は、前後方向ＬＤの前側に前方吸収要素５０Ｆが配置され、前後方向ＬＤの中間に中間吸収要素５０Ｍが配置され、前後方向ＬＤの後側に後方吸収要素５０Ｂが配置され、中間吸収要素５０Ｍが、パルプ繊維及び高吸収性ポリマー粒子５３の集積体を包装シート５８で包んだものであり、前方吸収要素５０Ｆおよび後方吸収要素５０Ｂが、表側に設けられた第１不織布層５１と、裏側に設けられた第２不織布層５２と、これら第１不織布層５１と第２不織布層５２との間に保持された高吸収性ポリマー粒子５３とを有する積層体であることである。そのため、本発明に係る吸収性物品には、前方吸収要素５０Ｆ、中間吸収要素５０Ｍ、後方吸収要素５０Ｂ以外の吸収要素５０を配置しても良いが、吸収要素５０を薄型化して、着用者の不快感を軽減することを鑑みると、その他の吸収要素５０は配置しないことが好ましい。特に、中間吸収要素５０Ｍの肌側及び裏側には、他の吸収要素５０を配置しないことが好ましい。中間吸収要素５０Ｍが配置される部分は、着用者の股下であるため、着用者が吸収要素５０の厚みによる不快感を感じやすいし、着用者の両足で締め付けられるため、撚れや割れが発生して排泄液Ｌｉの漏れが生じやすいから、薄型であることが特に重要である。
【０１２５】
なお、中間要素５０Ｍにおいて、表側に設けられた第１不織布層５１と、裏側に設けられた第２不織布層５２の間に高吸収性ポリマー粒子５３が保持されているとは、図７（ａ）のように、第１不織布層５１と第２不織布層５２の間の間隙５４に高吸収性ポリマー粒子５３が配置される形態のほか、図７（ｂ）のように、第１不織布層５１や第２不織布層５２の内部に高吸収性ポリマー粒子５３が配置される形態も含むものである。もちろん、第１不織布層５１と第２不織布層５２の間の間隙５４に高吸収性ポリマー粒子５３を配置するとともに、第１不織布層５１や第２不織布層５２の内部に高吸収性ポリマー粒子５３を配置する形態も含まれる。さらに、第１不織布層５１と第２不織布層５２のどちらか一方の層の内部に高吸収性ポリマー粒子５３が配置される形態も含まれる。
【０１２６】
＜明細書中の用語の説明＞
明細書中の以下の用語は、明細書中に特に記載が無い限り、以下の意味を有するものである。
【０１２７】
・「前後（縦）方向」とは腹側（前側）と背側（後側）を結ぶ方向を意味し、「幅方向」ＷＤとは前後方向ＬＤと直交する方向（左右方向）を意味する。
【０１２８】
・「表側」「肌面側」とはパンツタイプ使い捨ておむつを着用した際に着用者の肌に近い方を意味し、「裏側」「裏面側」とはパンツタイプ使い捨ておむつを着用した際に着用者の肌から遠い方を意味する。
【０１２９】
・「表面」「肌面」とは部材の、パンツタイプ使い捨ておむつを着用した際に着用者の肌に近い方の面を意味し、「裏面」とはパンツタイプ使い捨ておむつを着用した際に着用者の肌から遠い方の面を意味する。
【０１３０】
・「伸長率」は、自然長を１００％としたときの値を意味する。
【０１３１】
・「ゲル強度」は次のようにして測定されるものである。人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したもの）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【０１３２】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１０倍して１平米あたりの重さを算出し、目付けとする。
【０１３３】
・「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
【０１３４】
・吸水量は、ＪＩＳ  Ｋ７２２３−１９９６「高吸水性樹脂の吸水量試験方法」によって測定する。
【０１３５】
・吸水速度は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【０１３６】
・「展開状態」とは、収縮や弛み無く平坦に展開した状態を意味する。
【０１３７】
・各部の寸法は、特に記載が無い限り、自然長状態ではなく展開状態における寸法を意味する。
【０１３８】
・試験や測定における環境条件についての記載が無い場合、その試験や測定は、標準状態（試験場所は、温度２３±１℃、相対湿度５０±２％）の試験室又は装置内で行うものとする。
【産業上の利用可能性】
【０１３９】
本発明は、上記例のようなパンツタイプ使い捨ておむつや、テープタイプ使い捨ておむつの他、パッドタイプ使い捨ておむつ等、使い捨ておむつ全般に適用できるものであり、また、生理用ナプキン等の他の吸収性物品にも適用できることはいうまでもない。
【符号の説明】
【０１４０】
１１…液不透過性シート、１２Ａ…サイドシール部、１２Ｂ…後側外装体、１２Ｅ…ウエスト延出部分、１２Ｆ…前側外装体、１２Ｈ…内側シート層、１２Ｓ…外側シート層、１３…カバー不織布、１６…カバー部弾性部材、１７…ウエスト部弾性部材、１８…不要弾性部材、２００…内装体、２０１，２０２…内外接合部、３０…トップシート、４０…中間シート、５０…吸収要素、５０Ｆ…前方吸収要素、５０Ｍ…中間吸収要素、５０Ｂ…後方吸収要素、５１…第１不織布層、５２…第２不織布層、５３…高吸収性ポリマー粒子、５４…第１不織布層と第２不織布層の間隙、５６…吸収体、５６Ｆ…前方吸収要素の吸収体、５６Ｍ…中間吸収要素の吸収体、５６Ｂ…後方吸収要素の吸収体、５８…包装シート、６０…起き上がりギャザー、６０Ａ…先端側部分、６０Ｂ…付け根側部分、６２…ギャザー不織布、６７…倒伏部分、８０…接合部、８１…非接合部、Ａ１…非伸縮領域、Ａ２…伸縮領域、Ｃ…臀部カバー部、Ｈ…固定部、Ｌ…中間領域、ＬＤ…前後方向、Ｔ…胴周り領域、Ｕ…ウエスト下方部、Ｗ…ウエスト部、ＷＤ…幅方向、Ｌｉ…排泄液（尿、便の液分など）
【図１】
2020049178.tif 000003
【図２】
2020049178.tif 000004
【図３】
2020049178.tif 000005
【図４】
2020049178.tif 000006
【図５】
2020049178.tif 000007
【図６】
2020049178.tif 000008
【図７】
2020049178.tif 000009